(57)【要約】【課題】印刷作業にあたって、専門的熟練を必要とすることなく、あらゆる機構の印刷機において、実質的に揮発性有機溶剤を含ませずにイソプロピルアルコールを完全に代替することのできる平版印刷用の湿し水組成物を提供する。平版印刷において高速で回転する部材の条件下で十分に効果を発揮できる湿し水組成物を提供することである。成分が安定して可溶化されている平版印刷用湿し水組成物を提供する。【解決手段】ジエチレントリアミンにエチレンオキサイドとプロピレンオキサイドを付加した化合物、及び下記一般式（Ｉ）で示される少なくとも１種の化合物を含有することを特徴とする平版印刷用湿し水組成物。Ｒ1−Ｏ−（ＣＨ2ＣＨ（ＣＨ3）Ｏ）a−（ＣＨ2ＣＨ2Ｏ）b−Ｈ      （Ｉ）（式中、Ｒ1は炭素原子数８〜１８の炭化水素基を表し、ａ及びｂはそれぞれ１〜１０の整数を表す。）【特許請求の範囲】
【請求項１】
ジエチレントリアミンにエチレンオキサイドとプロピレンオキサイドを付加した化合物、及び下記一般式（Ｉ）で示される少なくとも１種の化合物を含有することを特徴とする平版印刷用湿し水組成物。
【化１】
2006095747.tif 000015
（式中、Ｒ1は炭素原子数８〜１８の炭化水素基を表し、ａ及びｂはそれぞれ１〜１０の整数を表す。）
【請求項２】
さらに、下記一般式（II）で示される少なくとも１種の化合物を含有する請求項１記載の平版印刷用湿し水組成物。
【化２】
2006095747.tif 000016
（式中、Ｒ2は炭素原子数６〜１０の炭化水素基を表し、ｃは５〜１５の整数を表す。）
【請求項３】
ジエチレントリアミンにエチレンオキサイドとプロピレンオキサイドを付加した化合物の重量平均分子量が５００〜１５００である、請求項１又は２記載の平版印刷用湿し水組成物。
【請求項４】
ジエチレントリアミンにエチレンオキサイドとプロピレンオキサイドを付加した化合物においてエチレンオキサイドとプロピレンオキサイドの付加モル数比率が５：９５〜５０：５０の範囲である、請求項１〜３のいずれか１項記載の平版印刷用湿し水組成物。
【請求項５】
さらに、ポリビニルピロリドンと、糖類及びグリセリンからなる群から選ばれる少なくとも１種とを含有する請求項１〜４のいずれか１項記載の平版印刷用湿し水組成物。
【請求項６】
実質的に揮発性有機溶剤を含まない請求項１〜５のいずれか１項記載の平版印刷用湿し水組成物。
【発明の詳細な説明】
【技術分野】
【０００１】
本発明は、平版印刷用湿し水組成物に関し、より具体的には平版印刷版のオフセット印刷法に有用な湿し水を提供する平版印刷用湿し水組成物に関する。
【背景技術】
【０００２】
平版印刷は水と油が本質的に混じり合わない性質を巧みに利用した印刷方式であり、印刷版面は水を受容し油性インキを反撥する領域と、水を反撥し油性インキを受容する領域からなり、前者が非画像領域であり、後者が画像領域である。湿し水によって、非画像領域を湿潤させて画像領域と非画像領域との界面化学的な差を拡大して、非画像領域のインキ反撥性と画像領域のインキ受容性とを増大させることがなされる。従来から一般的に知られている湿し水としては、重クロム酸のアルカリ金属塩又はアンモニウム塩、リン酸又はその塩、例えばアンモニウム塩、アラビアガム、カルボキシメチルセルロース（ＣＭＣ）等のコロイド物質等を添加した水溶液がある。しかしながら、これらの化合物だけを含む湿し水は、版の非画像部に均一に濡れ難い欠点があり、このため印刷物が時々汚れたり、また湿し水の供給量を調節するのに相当の熟練を要するなど問題となっていた。また、近年廃水中のクロムイオンの排出規制が厳しくなり、安全衛生面から規制される傾向にある。
【０００３】
この欠点を改良するため、イソプロピルアルコールを約２０〜２５％加えた水溶液を湿し水として用いるダールグレン方式が提案され、広く普及している。この方式によると、非画像部への濡れが良くなり、湿し水の量が少なくて済み、印刷インキと水との供給バランスの調整が容易であり、印刷インキ中への湿し水の乳化量が少なくなり、さらにブランケットへの印刷インキの転移性が良くなる等、作業性の面および得られた印刷物の精度の面において数々の利点がある。
しかしながら、このイソプロピルアルコールは水と蒸発のし易さが異なるために、湿し水のイソプロピルアルコール濃度を一定に保つための特殊な高価な装置が必要である。また、イソプロピルアルコールは特有の不快臭があることと共に、毒性の面でも問題があり、有機溶剤中毒予防規則（有機則）第２種有機溶剤であって規制を受ける。さらに、危険物第４類アルコール類に該当し、引火し易い化合物であるため、取り扱いや保管管理に注意が必要で作業環境上好ましくない。また、このイソプロピルアルコールを添加した湿し水を、通常の水棒を用いるオフセット印刷に適用しても、ローラー上および版面上でイソプロピルアルコールが蒸発するため、その効果を発揮することができないなどの問題があった。
【０００４】
このため、イソプロピルアルコールを代替する技術が近年提案されてきている。しかしながらこれらの代替技術では揮発性を有する有機溶剤を使用するため、ＶＯＣ（揮発性有機化合物）を排出する原因となり、改良が求められる。
イソプロピルアルコールを不使用とする観点から、特定の化合物を湿し水組成物に含ませることが提案されている（例えば、特許文献１及び特許文献２参照。）。これらの技術においても実際、揮発性有機溶剤を併用することがしばしばである。
また、平版印刷では高速度で回転するインキロール、印刷版、湿し水供給ロールの下でインキ／水が激しく運動しているために、インキ皮膜上に水が付着したり、水の表面にインキが拡散する等の問題がある。そのため、水あげ用ローラーにインキの付着汚れが発生し、印刷機の運転を休止後に再度印刷を開始したときに印刷物の汚れが発生する等の不都合が起こり易く、これらの問題の解決が望まれる。
従って、実質的に揮発性有機溶剤を含まずにイソプロピルアルコールを完全に代替しながら、上記のような問題を解消することができる湿し水組成物が強く求められている。一方、湿し水組成物は通常濃縮化して商品化するのが一般的である。均一な濃縮液を作るために界面活性剤を使用することが提案されるが、湿し水のポンプ輸送や攪拌の際に発泡しやすいといった問題がある。従って、有効成分が安定して可溶化された湿し水組成物を得ることがいっそう求められる。
【０００５】
【特許文献１】特開２０００−９４８５４号公報
【特許文献２】特開２００４−８２５９３号公報
【発明の開示】
【発明が解決しようとする課題】
【０００６】
本発明の目的は、上記従来の湿し水が持つ毒性や欠点がなく、印刷作業にあたって、専門的熟練を必要とすることなく、あらゆる機構の印刷機において、実質的に揮発性有機溶剤を含ませずにイソプロピルアルコールを完全に代替することのできる平版印刷用の湿し水組成物を提供することにある。本発明の目的はさらに、平版印刷において高速で回転する部材の条件下で十分に効果を発揮できる湿し水組成物を提供することである。本発明の目的は具体的に、水あげ用ローラーへのインキ付着汚れや印刷版の汚れを防ぎ、印刷時の種々の問題点の発生を抑制し、安定した連続印刷を可能とし、安全衛生上及び消防安全上の問題がなく、高品質の印刷物を得ることができる平版印刷用の湿し水組成物を提供することにある。本発明の目的はまた、比較的疎水性が高い有効成分が安定して可溶化され、且つ発泡や印刷性低下といった問題のない平版印刷用湿し水組成物を提供することにある。
【課題を解決するための手段】
【０００７】
本発明者らは上記課題を達成するために、環境上安全で且つ比較的少量で動的表面張力を低下し、また、印刷インキに対して適当に乳化バランスが得られる化合物について検討し、特定の化合物を組合せて使用することによって、優れた湿し水を提供できることを見出した。さらに特定の化合物と併用することで、比較的疎水性の高い成分がより安定して可溶化された湿し水組成物を提供でき、且つ湿し水として良好な印刷性を発揮できることを見出し、本発明を完成するに至った。
従って本発明は、ジエチレントリアミンにエチレンオキサイドとプロピレンオキサイドを付加した化合物、及び下記一般式（Ｉ）で示される少なくとも１種の化合物を含有することを特徴とする平版印刷用湿し水組成物である。
【化１】
2006095747.tif 000002
（式中、Ｒ1は炭素原子数８〜１８の炭化水素基を表し、ａ及びｂはそれぞれ１〜１０の整数を表す。）
【０００８】
本発明の湿し水組成物の好ましい実施態様として、さらに、下記一般式（II）で示される少なくとも１種の化合物を含有させる。
【０００９】
【化２】
2006095747.tif 000003
（式中、Ｒ2は炭素原子数６〜１０の炭化水素基を表し、ｃは５〜１５の整数を表す。）
本発明の実施態様で好ましくは、使用するジエチレントリアミンにエチレンオキサイドとプロピレンオキサイドを付加した化合物が重量平均分子量５００〜１５００の範囲にある。本発明の実施態様ではまた、好ましくは、該化合物においてエチレンオキサイドとプロピレンオキサイドの付加モル数比率が５：９５〜５０：５０の範囲にある。
本発明の別の好ましい実施態様として、本発明の湿し水組成物にはさらに、ポリビニルピロリドンと、糖類及びグリセリンからなる群から選ばれる少なくとも１種とを含有させる。本発明の湿し水組成物はまた、その好ましい実施態様として、実質的に揮発性有機溶剤を含まない湿し水組成物とする。
【発明の効果】
【００１０】
本発明の平版印刷用湿し水組成物は適宜、希釈して湿し水とされ、優れた印刷性を発揮する。具体的に、平版印刷用湿し水組成物から調製された湿し水は、平版印刷時、高速度で回転するインキロール、印刷版、湿し水供給ロールなどの部材下で、インキ皮膜上に水が付着したり、水の表面にインキが拡散する不都合がなく、水あげ用ローラーにインキの付着汚れを起こさず、安定した連続印刷を行うことができる。また、印刷機の運転を休止した後、印刷を再開しても印刷物に汚れを発生させない。
本発明によれば、成分が安定して可溶化されていて且つ発泡性などの問題のない平版印刷用湿し水組成物が提供される。
本発明の平版印刷用湿し水組成物は、印刷作業にあたって、専門的熟練を必要とすることなく、各種の連続給水式印刷機において湿し水組成物中のイソプロピルアルコールを代替し、印刷時に印刷版の汚れ、ブラインディング及び水負けといった問題を起こさず印刷適性が良好である。
本発明の湿し水組成物によれば、実質的に揮発性有機溶剤を含まずにイソプロピルアルコールを完全に代替することができ、労働衛生上及び消防安全上の問題が全くない上、高品質の印刷物を得ることができ、印刷の能率化、生産性の向上を図ることができる。
【発明を実施するための最良の形態】
【００１１】
以下、本発明について詳細に説明する。
湿し水は通常商業ベースとするときは濃縮化し商品化するのが一般的であり、使用するときに、そのような濃縮液を適宜希釈して湿し水として使用することになる。なお、本明細書中では、濃縮化されたものを湿し水組成物と呼ぶ。以下に言及する各種成分の含有量や添加量は、特に記載しない限り使用時の湿し水の全質量に基づいたものである。
【００１２】
本発明で使用する、ジエチレントリアミンにエチレンオキサイドとプロピレンオキサイドを付加した化合物は、好ましくは重量平均分子量が５００〜１５００のものであり、さらに好ましくは８００〜１２００であり、最適なのは重量平均分子量１０００付近のものである。
このような化合物は、印刷機停止時に版上に残った水滴が放置により水が蒸発し、濃縮されて残ったときでも、画像領域にダメージを与えることがない。上記化合物はまた、揮発性を有する有機溶剤と併用することなしに、イソプロピルアルコールを代替することが可能である。
【００１３】
該化合物においてエチレンオキサイドとプロピレンオキサイドとの付加モル数比率は、充分な印刷性が得られる観点から５：９５〜５０：５０の範囲が適当であり、より好ましくは２０：８０〜３５：６５の範囲である。
エチレンオキサイドとプロピレンオキサイドの結合構造としては、先にエチレンオキサイドを付加し、その後プロピレンオキサイドを付加したブロック構造、先にプロピレンオキサイドを付加し、その後エチレンオキサイドを付加したブロック構造、同時にエチレンオキサイドとプロピレンオキサイドを付加したランダム構造があるが、いずれの構造のものもほぼ同様の効果が得られる。
本発明で使用される、ジエチレントリアミンにエチレンオキサイドとプロピレンオキサイドを付加した化合物は、常法に従って製造することができる。例えばジエチレントリアミンに触媒の存在下でエチレンオキサイド及び／又はプロピレンオキサイドを反応させて、製造することができる。また、具体的にジエチレントリアミンをアセトニトリルとともに、氷水浴で冷却しながら、プロピレンオキサイドをそこへ滴下し反応させ、その後、更にエチレンオキサイドを滴下し反応させ、この混合物からろ過して析出物を取り出し、そこからジエチレントリアミンのプロピレンオキサイド/エチレンオキサイド付加物を得ることができる。
【００１４】
本発明で使用される、ジエチレントリアミンにエチレンオキサイドとプロピレンオキサイドを付加した化合物は、具体的に下記の式にて示される。
【化３】
2006095747.tif 000004
（上記式中、Ａ及びＢはそれぞれ独立に−ＣＨ2ＣＨ2Ｏ−又は−ＣＨ2ＣＨ（ＣＨ3）Ｏ−を表し、Ａ及びＢは互いに異なる基であって、ａ〜ｊは各々１以上の整数を表す。各共重合鎖はブロック構造でも、ランダム構造でもよい。）
式中ａ〜ｊは化合物全体の分子量が５００〜１５００となるような値であることが好ましい。
なお、該化合物の分子量やエチレンオキサイドとプロピレンオキサイドの比率は、例えば水酸基価及びアミン価の測定、ＮＭＲ測定などにより決定することができる。
上記化合物を湿し水中０．０１〜１質量％含ませることが適当であり、より好ましくは０．０５〜０．５質量％含ませる。
【００１５】
本発明の湿し水組成物にはさらに、下記一般式（Ｉ）で示される少なくとも１種の化合物を含有させる。
【化４】
2006095747.tif 000005
（式中、Ｒ1は炭素原子数８〜１８の炭化水素基を表し、ａ及びｂはそれぞれ１〜１０の整数を表す。）
【００１６】
上記一般式（Ｉ）で示される化合物において、式中Ｒ1は炭素原子数８〜１８、好ましくは炭素原子数１０〜１６の脂肪族炭化水素基を表し、該炭化水素基は直鎖状でも分岐状でもよく、また飽和でも不飽和でもよい。式中Ｒ1について、オキシプロピレンに付加する具体的な例としてアルカン、又はアルケンの一価アルコールが好ましく使用できる。例えば、ｎ−オクチルノール、２−オクタノール、２−エチルヘキサノール、３，５，５−トリメチルヘキサノール、ノナノール、ｎ−デカノール、ウデカンノール、ｎ−ドデカノール（ラウリルアルコール）、トリメチルノニルアルコール、テトラデカノール、ヘプタデカノール、セチルアルコール、オレイルアルコール等の付加が好ましく使用される。特に上記化合物の炭素原子数１０〜１６の範囲の付加物が好適に使用される。
【００１７】
オキシプロピレンの重合モル数（式中、ａ）は１〜１０であって、好ましくは４〜８の範囲である。一方オキシエチレンの重合モル数（式中、ｂ）は１〜１０であって、オキシプロピレンの重合モル数以下が特に好ましい。オキシプロピレンの重合モル数が１０モルを超えると湿し水適性が劣化傾向を示し、又、可溶性及び水に対する溶解性も劣化する。
オキシエチレンの重合モル数が１０モルを超えると、動的表面張力が劣化しやすくなり湿し水組成物の濡れ性、インキに対する相性が大幅に劣化し、湿し水組成物の水負け現象が発生しやすくなる要因となる。
上記一般式（Ｉ）で示される化合物は、動的表面張力を低下するのに役立ち、また、印刷インキに対する適当な乳化バランスに貢献できると考えられる。
【００１８】
本発明の湿し水組成物において上記一般式（Ｉ）で示される化合物は、１種単独で又は２種以上を組み合わせて使用することができる。
湿し水における上記一般式（Ｉ）で示される化合物の含有量は、０．０００２５〜０．０５質量％の範囲が適当であって、この範囲では本発明の効果が十分に得られ、また、水に対する溶解性が適当で液が均一となるので好ましい。より好ましくは０．００１２５〜０．０２５質量％の範囲である。
一般式（Ｉ）で示される化合物の具合例としては、以下のものを挙げることができる。このような化合物は、常法の有機合成の方法により製造することができるものである。
【００１９】
【化５】
2006095747.tif 000006
【００２０】
本発明の湿し水組成物には、さらに下記一般式（II）で示される化合物を含ませることが好ましい。
【００２１】
【化６】
2006095747.tif 000007
（式中、Ｒ2は炭素原子数６〜１０の炭化水素基を表し、ｃは５〜１５の整数を表す。）
上述の一般式（Ｉ）で示される化合物は疎水性が比較的高いため、濃縮液である湿し水組成物を調製する際にその可溶化が問題となる。特に揮発性有機溶剤を極めて少量としたとき、あるいは使用しないときに、一般式（Ｉ）で示される化合物が分離したり又は表面へ析出することがある。そこで、一般式（II）で示される化合物を使用することで、より均一な溶液を達成できる。
【００２２】
一般式（II）で示される化合物において、Ｒ2は炭素原子数の６〜１０の脂肪族炭化水素基を表し、該炭化水素基は直鎖状でも分岐状でも良い。式中Ｒ2について，オキシエチレンに付加する具体的な例としては、アルカンの一価のアルコールが好ましく使用できる。例えば、直鎖型のヘキサノール、ヘプタノール、オクタノール、ノナノール、デカノールが挙げられ、さらに分岐型の２−エチルヘキサノール、３，５，５−トリメチルヘキサノール等が好ましく使用される。オキシエチレンの重合モル数（式中ｃ）は、５〜１５が好ましい。
また、一般式（Ｉ）の化合物を良好に可溶化する観点から、上記一般式（II）の化合物の親疎水性を表す指標であるＨＬＢの値は１２以上であることがより好ましく、Ｒ2の大きさにより疎水性の程度が変動するため、その程度によってオキシエチレンの重合モル数を変動させる。また、Ｒ2が炭素原子数が６〜１０の範囲にあることで、発泡性が少なく、且つ一般式（Ｉ）の化合物を良好に可溶化するのに有効である。
一般式（II）で示される化合物の使用量は、湿し水中、一般的に０．０１２５〜０．０７５質量%の範囲が適当である。その添加量が０．０７５質量%を超えると、乳化のバランスが崩れやすい。
【００２３】
上記の各種化合物の使用時の湿し水中における使用量を鑑み、本発明の実施態様の一例として、ジエチレントリアミンにエチレンオキサイドとプロピレンオキサイドを付加した化合物を０．５〜４０質量％、一般式（Ｉ）で示される少なくとも１種の化合物を０．０１〜２．０質量％、及び一般式（II）で示される少なくとも１種の化合物を０．５〜３．０質量％の範囲で含有する湿し水組成物がある。
【００２４】
本発明の湿し水組成物にはさらに、水溶性高分子化合物を添加してもよい。
このような水溶性高分子化合物の具体的な例としてはアラビアゴム、澱粉誘導体（例えばデキストリン、酵素分解デキストリン、ヒドロキシプロピル化酵素分解デキストリン、カルボキシメチル化澱粉、燐酸澱粉、オクテニルコハク化澱粉など）、アルギン酸塩、繊維素誘導体（例えばカルボキシメチルセルロース、カルボキシエチルセルロース、ヒドロキシエチルセルロース、メチルセルロース、ヒドロキシプロピルメチルセルロース、それらのグリオキサール変性体など）の天然物とその変性体及びポリビニルアルコール及びその誘導体、ポリビニルピロリドン、ポリアクリルアミド及びその共重合体、ポリアクリル酸及びその共重合体、ビニルメチルエーテル／無水マレイン酸共重合体、酢酸ビニル／無水マレイン酸共重合体などの合成物が挙げられる。これらの高分子化合物は単独でまたは混合して使用でき、その添加量は湿し水中、０．０００１〜５質量％、より好ましくは、０．００３〜１質量％が適当である。
【００２５】
本発明では、上記水溶性高分子化合物の中でも、ポリビニルピロリドンが特に好ましく使用できる。湿し水組成物に含有させるポリビニルピロリドンは、ビニルピロリドンのホモポリマーを意味する。ポリビニルピロリドンは分子量２００〜３，０００，０００のものが適当であり、好ましくは３００〜５００，０００、より好ましくは３００〜１００，０００のものである。特に好ましくは３００〜３０，０００のものである。
これらポリビニルピロリドンは１種単独でも、又は分子量の異なるものを２種以上組み合わせて使用することもできる。また、低分子量のポリビニルピロリドン、例えば重合度３〜５のビニルピロリドンオリゴマーと組み合わせることができる。
このようなポリビニルピロリドンとしては、市販品を使用することができる。例えば、ＩＳＰ社製のＫ−１５、Ｋ−３０、Ｋ−６０、Ｋ−９０、Ｋ−１２０などの各種グレートのものを使用することができる。
湿し水におけるポリビニルピロリドンの含有量は、０．００１〜０．３質量％が適当であり、好ましくは０．００５〜０．２質量％である。
【００２６】
本発明の湿し水組成物にはまた、糖類及びグリセリンからなる群から選ばれる少なくとも１種を含ませることが好ましい。使用する糖類としては、単糖類、二糖類及びオリゴ糖類などから選択することができ、水素添加によって得られる糖アルコールもこれに含まれる。具体例としてＤ−エリトロース、Ｄ−スレオース、Ｄ−アラビノース、Ｄ−リボース、Ｄ−キシロース、Ｄ−エリスロ−ペンテュロース、Ｄ−アルロース、Ｄ−ガラクトース、Ｄ−グルコース、Ｄ−マンノース、Ｄ−タロース、β−Ｄ−フラクトース、α−Ｌ−ソルボース、６−デオキシ−Ｄ−グルコース、Ｄ−グリセロ−Ｄ−ガラクトース、α−Ｄ−アルロ−ヘプチュロース、β−Ｄ−アルトロ−３−ヘプチュロース、サッカロース、ラクトース、Ｄ−マルトース、イソマルトース、イヌロビオース、ヒアルビオウロン、マルトトリオース、Ｄ，Ｌ−アラビット、リビット、キシリット、Ｄ，Ｌ−ソルビット、Ｄ，Ｌ−マンニット、Ｄ，Ｌ−イジット、Ｄ，Ｌ−タリット、ズルシット、アロズルシット、マルチトール、還元水あめなどが挙げられる。これらの糖類は１種単独で又は２種以上を併用してもよい。
またグリセリンを単独で使用してもよく、又は糖類と併用してもよい。
湿し水において糖類及びグリセリンからなる群から選ばれる少なくとも１種の含有量は０．０１〜１質量％が適当であり、好ましくは０．０５〜０．５質量％である。
【００２７】
湿し水は一般的に酸性領域、すなわち、ｐＨ３〜６付近の範囲で使用することが望ましい。ｐＨ３未満では支持体に対するエッチング効果が強くなり、耐刷性が低下する。ｐＨ値を３〜６に調整するためには、一般的には有機酸及び／又は無機酸又はそれらの塩を添加すればよい。好ましい有機酸としては、例えばクエン酸、アスコルビン酸、リンゴ酸、酒石酸、乳酸、酢酸、グリコール酸、グルコン酸、酢酸、ヒドロキシ酢酸、蓚酸、マロン酸、レブリン酸、スルファニル酸、ｐ−トルエンスルホン酸、フィチン酸、有機ホスホン酸等が挙げられる。無機酸としては例えばリン酸、硝酸、硫酸、ポリリン酸が挙げられる。更にこれら有機酸及び／又は無機酸のアルカリ金属塩、アルカリ土類金属塩あるいはアンモニウム塩、有機アミン塩も好適に用いられ、これらの有機酸、無機酸及び／又はこれらの塩は単独で使用しても、あるいは２種以上の混合物として使用してもよい。その添加量は湿し水中０．００１〜５質量％が一般的である。
本発明の湿し水組成物はまた、アルカリ金属水酸化物、燐酸アルカリ金属塩、炭酸アルカリ金属塩、珪酸塩等を含有させ、ｐＨ７〜１１付近のアルカリ領域で用いることもできる。
【００２８】
以上の成分の他に、本発明の湿し水組成物にはキレート化合物も添加することができる。通常、濃縮液である湿し水組成物に水道水、井戸水等を加えて希釈し、湿し水として使用する。この際希釈する水道水や井戸水に含まれているカルシウムイオン等が印刷に影響を与え、印刷物を汚れ易くする原因となることもある。このような場合、キレート化合物を添加しておくことにより、上記欠点を解消することができる。好ましいキレート化合物としては例えば、エチレンジアミンテトラ酢酸、そのカリウム塩、そのナトリウム塩；ジエチレントリアミンペンタ酢酸、そのカリウム塩、そのナトリウム塩；トリエチレンテトラミンヘキサ酢酸、そのカリウム塩、そのナトリウム塩；ヒドロキシエチルエチレンジアミントリ酢酸、そのカリウム塩、そのナトリウム塩；ニトリロトリ酢酸、そのカリウム塩、そのナトリウム塩；１，２−ジアミノシクロヘキサンテトラ酢酸、そのカリウム塩、そのナトリウム塩；１，３−ジアミノ−２−プロパノールテトラ酢酸、そのカリウム塩、そのナトリウム塩などのようなアミノポリカルボン酸類や２−ホスホノブタントリカルボン酸−１，２，４，そのカリウム塩、そのナトリウム塩；２−ホスホノブタントリカルボン酸−２，３，４，そのカリウム塩、そのナトリウム塩；１−ホスホノエタントリカルボン酸−１，２，２，そのカリウム塩、そのナトリウム塩；１−ヒドロキシエタン−１，１−ジホスホン酸、そのカリウム塩、そのナトリウム塩；アミノトリ（メチレンホスホン酸）、そのカリウム塩、そのナトリウム塩などのような有機ホスホン酸類あるいはホスホノアルカントリカルボン酸類を挙げることができる。
上記のキレート剤のナトリウム塩あるいはカリウム塩の代わりに有機アミンの塩も有効である。
これらのキレート剤は湿し水中に安定に存在し、印刷性を阻害しないものが選ばれる。添加する量としては湿し水中０．００１〜３質量％、好ましくは０．０１〜１質量％が適当である。
【００２９】
本発明の湿し水組成物には、さらに着色剤、防錆剤、消泡剤などを含ませてもよい。着色剤として食品用色素等が好ましく使用できる。例えば、黄色色素としてはＣＩNo. １９１４０、１５９８５、赤色色素としてはＣＩNo. １６１８５、４５４３０、１６２５５、４５３８０、４５１００、紫色色素としてはＣＩNo. ４２６４０、青色色素としてはＣＩNo. ４２０９０、７３０１５、緑色色素としてはＣＩNo. ４２０９５、等が挙げられる。  防錆剤としては、例えばベンゾトリアゾール、５−メチルベンゾトリアゾール、チオサリチル酸、ベンゾイミダゾール及びその誘導体等が挙げられる。
消泡剤としてはシリコン消泡剤が好ましく、その中で乳化分散型及び可溶化型などのいずれも使用することができる。
【００３０】
本発明の湿し水組成物には更に、硝酸マグネシウム、硝酸亜鉛、硝酸カルシウム、硝酸ナトリウム、硝酸カリウム、硝酸リチウム、硝酸アンモニウムなどの腐食抑制剤、クロム化合物、アルミニウム化合物のような硬膜剤、環状エーテル：例えば４−ブチロラクトンなどの有機溶剤、特開昭６１−１９３８９３号公報記載の水溶性界面活性有機金属化合物などを、湿し水の０．０００１〜１質量％の範囲で添加することもできる。
【００３１】
本発明の湿し水組成物には更に少量の界面活性剤を添加してもよい。例えば、アニオン型界面活性剤としては、脂肪酸塩類、アビエチン酸塩類、ヒドロキシアルカンスルホン酸塩類、アルカンスルホン酸塩類、ジアルキルスルホこはく酸塩類、直鎖アルキルベンゼンスルホン酸塩類、分岐鎖アルキルベンゼンスルホン酸塩類、アルキルナフタレンスルホン酸塩類、アルキルフェノキシポリオキシエチレンプロピルスルホン酸塩類、ポリオキシエチレンアルキルスルホフェニルエーテル塩類、Ｎ−メチル−Ｎ−オレイルタウリンナトリウム類、Ｎ−アルキルスルホこはく酸モノアミド２ナトリウム塩類、石油スルホン酸塩類、硬化ひまし油、硫酸化牛脂油、脂肪酸アルキルエステルの硫酸エステル塩類、アルキル硫酸エステル塩類、ポリオキシエチレンアルキルエーテル硫酸エステル塩類、脂肪酸モノグリセリド硫酸エステル塩類、ポリオキシエチレンアルキルフェニルエーテル硫酸エステル塩類、ポリオキシエチレンスチリルフェニルエーテル硫酸エステル塩類、アルキル燐酸エステル塩類、ポリオキシエチレンアルキルエーテル燐酸エステル塩類、ポリオキシエチレンアルキルフェニルエーテル燐酸エステル塩類、スチレン−無水マレイン酸共重合物の部分ケン化物類、オレフィン−無水マレイン酸共重合物の部分ケン化物類、ナフタレンスルホン酸塩ホルマリン縮合物類等が挙げられる。これらの中でもジアルキルスルホこはく酸塩類、アルキル硫酸エステル類及びアルキルナフタレンスルホン酸塩類が特に好ましく用いられる。
【００３２】
また非イオン型界面活性剤としては、ポリオキシアルキルエーテル類、ポリオキシエチレンアルキルフェニルエーテル類、ポリオキシエチレンポリスチリルフェニルエーテル、ポリオキシエチレンポリオキシプロピレンアルキルエーテル、グリセリン脂肪酸部分エステル類、ソルビタン脂肪酸部分エステル類、ペンタエリスリトール脂肪酸部分エステル類、プロピレングリコールモノ脂肪酸部分エステル類、蔗糖脂肪酸部分エステル類、ポリオキシエチレンソルビタン脂肪酸部分エステル類、ポリオキシエチレンソルビトール脂肪酸部分エステル類、ポリグリセリン脂肪酸部分エステル類、ポリオキシエチレン化ひまし油類、ポリオキシエチレングリセリン脂肪酸部分エステル類、脂肪酸ジエタノールアミド類、Ｎ，Ｎ−ビス−２−ヒドロキシアルキルアミン類、ポリオキシエチレンアルキルアミン、トリエタノールアミン脂肪酸エステル、トリアルキルアミンオキシドなどが挙げられる。その中でもポリオキシエチレンアルキルフェニルエーテル類、ポリオキシエチレン−ポリオキシプロピレンブロックポリマー類等が好ましく用いられる。
【００３３】
カチオン界面活性剤としては、アルキルアミン塩類、第４級アンモニウム塩類、ポリオキシエチレンアルキルアミン塩類、ポリエチレンポリアミン誘導体等が挙げられる。また両性界面活性剤の例としては、アルキルイミダゾリン類が挙げられる。さらに、フッ素系界面活性剤が挙げられる、例えば、フッ素系アニオン界面活性剤としては、パーフルオロアルキルスルホン酸塩、パーフルオロアルキルカルボン酸塩、パーフルオロアルキルリン酸エステル、フッ素系ノニオン界面活性剤としては、パーフルオロアルキルエチレンオキサイド付加物、パーフルオロアルキルプロピレンオキサイド付加物、フッ素系カチオン界面活性剤としては、パーフルオロアルキルトリメチルアンモニウム塩等が挙げられる。
これらの界面活性剤の含有量は発泡の点を考慮すると、湿し水中１０質量％以下、好ましくは０．０１〜３．０質量％が適当である。
【００３４】
さらに本発明の湿し水組成物には、湿潤剤として、グリコール類及び／又はアルコール類などを含めることができる。
ただしグリコール類やアルコール類には常温で揮発しやすい化合物が多く含まれるので、揮発性有機溶剤の使用を削減する観点から、濃縮液である湿し水組成物において、それらの使用量は全く使用しないか、又は１０質量％までが適当である。好ましくは５質量％まで、より好ましくは１質量％未満である。
このような湿潤剤の例として、例えばエチレングリコールモノメチルエーテル、ジエチレングリコールモノメチルエーテル、トリエチレングリコールモノメチルエーテル、テトラエチレングリコールモノメチルエーテル、エチレングリコールモノエチルエーテル、ジエチレングリコールモノエチルエーテル、トリエチレングリコールモノエチルエーテル、テトラエチレングリコールモノエチルエーテル、エチレングリコールモノプロピルエーテル、ジエチレングリコールモノプロピルエーテル、トリエチレングリコールモノプロピルエーテル、テトラエチレングリコールモノプロピルエーテル、エチレングルコールモノイソプロピルエーテル、ジエチレングルコールモノイソプロピルエーテル、トリエチレングルコールモノイソプロピルエーテル、テトラエチレングルコールモノイソプロピルエーテル、エチレングリコールモノブチルエーテル、ジエチレングリコールモノブチルエーテル、トリエチレングリコールモノブチルエーテル、テトラエチレングリコールモノブチルエーテル、エチレングリコールモノイソブチルエーテル、ジエチレングリコールモノイソブチルエーテル、トリエチレングリコールモノイソブチルエーテル、テトラエチレングリコールモノイソブチルエーテル、エチレングリコールモノターシャリブチルエーテル、ジエチレングリコールモノターシャリブチルエーテル、トリエチレングリコールモノターシャリブチルエーテル、テトラエチレングリコールモノターシャリブチルエーテル、
【００３５】
プロピレングリコールモノメチルエーテル、ジプロピレングリコールモノメチルエーテル、トリプロピレングリコールモノメチルエーテル、テトラプロピレングリコールモノメチルエーテル、プロピレングリコールモノエチルエーテル、ジプロピレングリコールモノエチルエーテル、トリプロピレングリコールモノエチルエーテル、テトラプロピレングリコールモノエチルエーテル、プロピレングリコールモノプロピルエーテル、ジプロピレングリコールモノプロピルエーテル、トリプロピレングリコールモノプロピルエーテル、テトラプロピレングリコールモノプロピルエーテル、プロピレングリコールモノイソプロピルエーテル、ジプロピレングリコールモノイソプロピルエーテル、トリプロピレングリコールモノイソプロピルエーテル、テトラプロピレングリコールモノイソプロピルエーテル、プロピレングリコールモノブチルエーテル、ジプロピレングリコールモノブチルエーテル、トリプロピレングリコールモノブチルエーテル、テトラプロピレングリコールモノブチルエーテル、プロピレングリコールモノイソブチルエーテル、ジプロピレングリコールモノイソブチルエーテル、トリプロピレングリコールモノイソブチルエーテル、テトラプロピレングリコールモノイソブチルエーテル、プロピレングリコールモノターシャリブチルエーテル、ジプロピレングリコールモノターシャリブチルエーテル、トリプロピレングリコールモノターシャリブチルエーテル、テトラプロピレングリコールモノターシャリブチルエーテル、分子量２００〜１０００のポリプロピレングリコール及びそれらのモノメチルエーテル、モノエチルエーテル、モノプロピルエーテル、モノイソプロピルエーテル及びモノブチルエーテル、
【００３６】
プロピレングリコール、ジプロピレングリコール、トリプロピレングリコール、テトラプロピレングリコール及びペンタプロピレングリコール、エチレングリコール、ジエチレングリコール、トリエチレングリコール、ポリエチレングリコール、ブチレングリコール、ヘキシレングリコール、エチルアルコール、ｎ−プロピルアルコール、ベンジルアルコール、エチレングリコールモノフェニルエーテル、２−エチル−１，３−ヘキサンジオール、３−メトキシ−３−メチル−１−ブタノール、１−ブトキシ−２−プロパノール、ジグリセリン、ポリグリセリン、トリメチロールプロパン、ペンタエリスリトール、メトキシエタノール、エトキシエタノール、ブトキシエタノール、３−メトキシブタノールなどが挙げられる。
これらの湿潤剤を単独又は２種以上の併用で、湿し水中０．０１〜１質量％程度含ませても印刷品質上問題ない。
【００３７】
本発明の湿し水組成物の成分として残余は、水である。
従って、上述の各種成分の湿し水における含有量、湿し水組成物における各種成分の溶解性、及び湿し水組成物の希釈率などを考慮して、水、好ましくは脱塩水、即ち、純水を使用して各種成分を適宜な濃度で溶解し、濃縮液である湿し水組成物を得ることができる。このような濃縮液を、使用時に通常水道水、井戸水等で１０〜２００倍程度に希釈し、使用時の湿し水とする。
【００３８】
本発明の湿し水組成物は、揮発性を有する有機溶剤と併用することなしに、イソプロピルアルコールを完全に代替することが可能である。従って本発明の湿し水組成物は、実質的に揮発性有機溶剤を含まない湿し水組成物とすることができる。ここで「実質的に揮発性有機溶剤を含まない」とは、ASTM D 2369-95の測定法に従って、濃縮液である湿し水組成物において揮発性有機溶剤量が１０％以下であることを意味する。
ASTM D 2369-95の測定法は、試料３ｍｌを熱風オーブン１１０℃で１時間の条件で、次式により揮発性有機溶剤量を求めるものである。
式：｛（試料の質量−加熱残分の質量−試料中の水分質量）／（試料の質量）｝×１００＝揮発性有機溶剤量（質量％）
また、使用時の湿し水中１〜１５質量％のイソプロピルアルコールを併用しても印刷品質上問題はない。
【００３９】
本発明の湿し水組成物は、種々の平版印刷版に対して使用することができるが、特にアルミニウム板を支持体とし、その上に感光層を有する感光性平版印刷版（予め感光性を付与した印刷板で、ＰＳ版と呼ばれる。）を画像露光及び現像して得られた平版印刷版に対して好適に使用できる。かかるＰＳ版の好ましいものは、例えば、英国特許第 1,350,521号明細書に記されているようなジアゾ樹脂（ｐ−ジアゾジフェニルアミンとパラホルムアルデヒドとの縮合物の塩）とシエラックとの混合物からなる感光層をアルミニウム板上に設けたもの、英国特許第 1,460,978号及び同第 1,505,739号の各明細書に記されているようなジアゾ樹脂とヒドロキシエチルメタクリレート単位またはヒドロキシエチルアクリレート単位を主なる繰り返し単位として有するポリマーとの混合物からなる感光層をアルミニウム板上に設けたもの、また特開平２−２３６５５２号、特開平４−２７４４２９号に記載のジメチルマレイミド基を含有する感光性ポリマー系をアルミニウム板上に設けたもののようなネガ型ＰＳ版、および特開昭５０−１２５８０６号公報に記載されているようなＯ−キノンジアド感光物とノボラック型フェノール樹脂との混合物からなる感光層をアルミニウム板上に設けたポジ型ＰＳ版が含まれる。またバーニング処理されたポジ型ＰＳ版にも用いることができる。
【００４０】
上記感光層を形成する組成物には、上記のアルカリ可溶性ノボラック樹脂以外の、アルカリ可溶性樹脂を必要に応じて配合することができる。例えば、スチレン−アクリル酸共重合体、メチルメタアクリレート−メタクリル酸共重合体、アルカリ可溶性ポリウレタン樹脂、特公昭５２−２８４０１号公報記載のアルカリ可溶性ビニル系樹脂、アルカリ可溶性ポリブチラール樹脂等を挙げることができる。更に米国特許第 4,072,528号及び同第 4,072,527号の各明細書に記されているような光重合型フォトポリマー組成物の感光層をアルミニウム板上に設けたＰＳ版、英国特許第 1,235,281号及び同第 1,495,861号の各明細書に記されているようなアジドと水溶性ポリマーとの混合物からなる感光層をアルミニウム板上に設けたＰＳ版も好ましい。
さらに、可視や赤外線のレーザーで直接露光するＣＴＰプレートにも好適に使用することができる。具体例としてはフォトポリマータイプデジタルプレート（例えば富士写真フイルム（株）製ＬＰ−ＮＸ）や、サーマルポジタイプデジタルプレート（例えば富士写真フイルム（株）製ＬＨ−ＰＩ）、及びサーマルネガタイプデジタルプレート（例えば富士写真フイルム(株)製ＬＨ−ＮＩ）などが挙げられる。
【実施例】
【００４１】
次に本発明を実施例により更に具体的に説明する。なお、％は特に指定しない限り質量％を示す。
下記表１及び表２の組成に従って、実施例１〜１０及び比較例１〜４の湿し水組成物を調製した。表中、単位はグラムであり、水を加えて最終的に１０００mlとした。これらはいずれも濃縮タイプで、使用時に希釈する。
なお、実施例及び比較例で使用した一般式（Ｉ）で示される化合物（Ａ）〜（Ｄ）、比較化合物（Ｅ）、一般式（II）で示される化合物（ａ）〜（ｃ）の構造は以下のとおりである。
【００４２】
【化７】
2006095747.tif 000008
化合物（Ａ）：Ｒ1＝Ｃ16Ｈ33、ａ＝５、ｂ＝１
化合物（Ｂ）：Ｒ1＝Ｃ16Ｈ33、ａ＝６、ｂ＝２
化合物（Ｃ）：Ｒ1＝Ｃ12Ｈ25〜Ｃ14Ｃ29の混合物、ａ＝４、ｂ＝２
化合物（Ｄ）：Ｒ1＝Ｃ12Ｈ25、ａ＝８、ｂ＝５
比較化合物（Ｅ）：下式参照
【００４３】
【化８】
2006095747.tif 000009
【００４４】
【化９】
2006095747.tif 000010
化合物（ａ）：Ｒ2＝Ｃ8Ｈ17、ｃ＝７
化合物（ｂ）：Ｒ2＝Ｃ6Ｈ13、ｃ＝５
化合物（ｃ）：Ｒ2＝Ｃ10Ｈ21、ｃ＝１５
【００４５】
【表１】
2006095747.tif 000011
*EO:PO比=エチレンオキサイドとプロピレンオキサイドとの付加モル数比率
【００４６】
【表２】
2006095747.tif 000012
*EO:PO比=エチレンオキサイドとプロピレンオキサイドとの付加モル数比率
【００４７】
上記のように調液後、各湿し水組成物について１日経時したときの液の均一性を評価した。その結果、液が均一であった。
上記のように１日の経時後の各湿し水組成物を各々、硬度４００ppmの疑似硬水を用いて４０倍に希釈し、ｐＨが４．８〜５．３付近となるようにＮａＯＨ／リン酸（85％）にて調整して、実際に使用する湿し水とした。
【００４８】
［テスト方法］
印刷機はハイデルＭＯＶ（アルカラー給水装置）を使用して、東洋インキ(株)の名称ハイユニティのプロセス４色（墨、藍、紅、黄）インキと、富士写真フイルム(株)製のポジ型ＰＳ版ＶＳを、ベタ部と３０％網点部のフィルム、及び富士写真フイルム製ＦＱＩチャートのフィルムを用い、ウシオ製ＰＳライトで露光後、富士写真フイルム製現像液ＤＰ−４で現像処理を行い、富士写真フイルム製ガム液ＦＰ−２でガム引き処理を行って製版したものを用いて、下記の印刷テストを実施した。
【００４９】
（ａ）メータリングロール汚れ：水あげ用メータリングロールに対するインキの付着汚れの程度を調べた。
良い：Ａ
やや劣る：Ｂ
劣る：Ｃ
（ｂ）ブリード性：５０００および１００００枚印刷したところで印刷機の運転を休止し、画像部のインキが非画像部に滲みでている程度を調べた。
滲みがほとんどない：Ａ
滲みがややある：Ｂ
滲みがある：Ｃ
【００５０】
（ｃ）乳化性：１００００枚印刷したとき、インキ練りロール上のインキの乳化状態を調べた。
良い：Ａ
やや劣る：Ｂ
劣る：Ｃ
（ｄ）連続印刷安定性：真水を湿し水として用い、１００００枚印刷し、汚れを生じない湿し水の量（最少水あげ量）を求め、各種の湿し水をこの最少水あげ量で用いて印刷を行い、印刷物の汚れが発生するまでの印刷枚数により判定した。
１００００枚以上：Ａ
１００００〜３００００枚：Ｂ
（ｅ）発泡性：印刷機の湿し水タンク内の発泡性を評価
発泡なし：Ａ
発泡あり：Ｂ
結果を表３及び表４に示す。
【００５１】
【表３】
2006095747.tif 000013
【００５２】
【表４】
2006095747.tif 000014
【００５３】
上記の結果から、本発明の湿し水組成物は経時後も液が均一に保たれ、有効成分が良好に可溶化されていることが判る。また、本発明の湿し水組成物を水で希釈して得た湿し水は、いずれのテスト項目についても優れており、良好な印刷物が得られ、湿し水適性が優れていることが判る。さらに上記実施例１〜１０の湿し水組成物は、イソプロピルアルコールを使用した組成物とは異なり、労働安全上及び消防安全上の問題が全くないうえ、既存のイソプロピルアルコール代替湿し水に含まれるような有機溶剤を使用しておらず、揮発性有機溶剤量を極めて低くすることができ環境上たいへん好ましい。